(57)【要約】【課題】リーディングエッジが地面に当たるダフリを抑制できると同時にソールが地面に当たるダフリを抑制できるパター型のゴルフクラブヘッドを提供する。【解決手段】パター型のゴルフクラブヘッド１は、規定のライ角およびロフト角を保持して水平面に置いた基準状態で、ソール１３の最下部からフェース１２の最も下の刃部分であるリーディングエッジまでの垂直方向の距離Ａが６ｍｍ≦Ａ≦１０ｍｍであり、上記フェース１２の最も下からヘッド本体部１１の最も上までの垂直方向の距離Ｂが１４ｍｍ≦Ｂ≦１８ｍｍで且つ１３ｍｍ≦Ａ＋Ｂ／２≦１９ｍｍであり、上記ソール１３をボール底から６ｍｍ浮かせるとフェース１２の高さ方向中央位置がボール赤道から上３．６ｍｍ以内で上記ボール赤道から下２．４ｍｍ以内のボール赤道付近となり、また、上記距離Ａが最も小さな値である６ｍｍで上記距離Ｂが最も小さな値である１４ｍｍとされた場合においてソール１３をボール底から１．４ｍｍしか浮かせなかったとしても、フェース１２の高さ方向中央位置が上記ボール赤道に対して略下７．０ｍｍの位置となる。【選択図】図２
2014168644.tif 000002
【特許請求の範囲】
【請求項１】
規定のライ角およびロフト角を保持して水平面に置いた基準状態で、ソールの最下部からフェースの最も下の刃部分であるリーディングエッジまでの垂直方向の距離Ａが６ｍｍ≦Ａ≦１０ｍｍであり、上記フェースの最も下からヘッド本体部の最も上までの垂直方向の距離Ｂが１４ｍｍ≦Ｂ≦１８ｍｍで且つ１３ｍｍ≦Ａ＋Ｂ／２≦１９ｍｍであり、上記ソールをボール底から６ｍｍ浮かせるとフェースの高さ方向中央位置がボール赤道に対して略上３．６ｍｍから下２．４ｍｍの範囲のボール赤道付近となり、また、上記ソールがボール底から１．４ｍｍしか浮かなかったとしても上記フェースに上記ボール赤道が当たることを特徴とするパター型のゴルフクラブヘッド。
【発明の詳細な説明】
【技術分野】
【０００１】
この発明は、パター型のゴルフクラブヘッドに関する。
【背景技術】
【０００２】
ゴルフプレーにおいては、パターでゴルフボールを打つときにダフリを抑制できることが望まれる。
【０００３】
ここで、特許文献１には、フェース部の高さが２２ｍｍであることが開示されている。
【０００４】
また、特許文献２には、パターにおいて、フェースとソールとの交点部分をアールに形成すると共にアールが付されている部分の高さを８ｍｍ程度にしている点が記載されている。
【０００５】
また、特許文献３の段落００１０には、「ゴルフボールの直径は、規格で１．６８インチ（４２．６７ｍｍ）以上と定められており、現在市販されているボールの殆どが約４３ｍｍ程度であるのでフェイスの大きさは、上記式にＢ＝４３ｍｍを当て嵌めるとフェイスの直径Ｆは、３．５〜５．２ｍｍの範囲の大きさである。もちろん、フェイスの大きさは、規格が変わってボールの直径が変化すれば、それに応じてフェイスの直径の大きさも変化する。更に、前方部は、・・・フェイスの下端が０．８〜１．２ｃｍの範囲でカットされたソール（５）を有する。・・」の記載が存在している。なお、上記「フェイスの直径Ｆは、３．５〜５．２ｍｍの範囲の大きさである。」は誤記であり、正しくは「フェイスの直径Ｆは、３．５〜５．２ｃｍの範囲の大きさである。」と思われる。
【先行技術文献】
【特許文献】
【０００６】
【特許文献１】特開２００３−２７５３４８号公報
【特許文献２】実願昭５６−１３２７３０号（実開昭５８−４０１７２号）
【特許文献３】登録実用新案第３１４７６０４号公報
【発明の概要】
【発明が解決しようとする課題】
【０００７】
しかしながら、特許文献２には「ヒッティングエリアＥの下半分は最高１２．０５ｍｍ又は１３．１５ｍｍが確保されることになり、・・・」の記載が存在している。この内容によれば、特許文献２のパターでは、フェースの最も下からヘッド本体部の最も上までの垂直方向の距離として、２４．１０ｍｍ又は２６．３０ｍｍが確保されることになる。
【０００８】
上記特許文献１には、フェース部の高さが２２ｍｍであることが開示されているが、この記載をもって、上記特許文献２のパターが上記「８ｍｍ」を保持しつつ、フェース部の高さが２２ｍｍとなる形態でもよいということにはならない。なぜなら、上記特許文献２には「ヒッティングエリアＥの下半分は最高１２．０５ｍｍ又は１３．１５ｍｍが確保されることになり、ヒッティングに際して妨げになる可能性は全くない。」と記載しており、フェースの最も下からヘッド本体部の最も上までの垂直方向の距離として、２４．１０ｍｍ又は２６．３０ｍｍが確保されることが重要であることを示唆している。「確保」とは、確実に手に入れること、失わないようにしっかりと保つことの意味であり、上記示唆は、上記特許文献２のパターが上記の「少なくとも８ｍｍ」を保持しつつ、フェース部の高さが２２ｍｍとなる形態を想到することに対して大きな妨げとなる。
【０００９】
また、特許文献２のパターは、フェースとソールとの交点部分をアールに形成すると共にアールが付されている部分の高さを８ｍｍ程度にしている。その一方、特許文献３に記載のパターは、ソールの最下部からフェースの最も下の刃部分であるリーディングエッジまでの垂直方向の距離が０ｍｍであると考えられ、両思想は互いに相いれない。したがって、特許文献２のパターに特許文献３の内容を適用しようにも、適用のしようがない。また、仮に、適用できたとしても、「フェースの最も下からヘッド本体部の最も上までの垂直方向の距離が３．５〜５．２ｃｍから０．８〜１．２ｃｍを減算した値のもの」となる。
【００１０】
特許文献２のパターでは、リーディングエッジが地面に当たるダフリを抑制できると思われるが、フェースの高さが２４．１ｍｍまたは２６．３ｍｍ以上あるため、フェースの高さ方向中央位置でボールの赤道を打とうとすると、ソールが地面に当たってダフリを生じる可能性が高くなるものと考えられる。すなわち、特許文献２のパターは、リーディングエッジによるダフリとソールによるダフリの両方を解決できたものでない。
【００１１】
また、特許文献３に記載のパターは、ソールの最下部からフェースの最も下の刃部分であるリーディングエッジまでの垂直方向の距離が０ｍｍであると考えられるので、リーディングエッジが地面に当たるダフリの生じる可能性が高くなる。一方、特許文献３では、パターを振り抜いた際に後部が接地することによるダフリ抑制は図られている。この特許文献３のパターも、リーディングエッジによるダフリとソールによるダフリの両方を解決できたものではない。なお、特許文献３の見方として、ソールを０．８〜１．２ｃｍ浮かせてボールを打てば、ソールの最下部からフェースの最も下の刃部分であるリーディングエッジまでの垂直方向の距離が０ｍｍであってもリーディングエッジが地面に当たるダフリは生じないものであると見ることが可能であるが、これでは特許文献２でフェースとソールとの交点部分をアールに形成すると共にアールが付されている部分の高さを８ｍｍ程度にすることと全く相いれないものとなり、両者を組み合わせることに対する大きな障害になるものと考えられる。
【００１２】
この発明は、リーディングエッジが地面に当たるダフリを抑制できると同時にソールが地面に当たるダフリを抑制できるパター型のゴルフクラブヘッドを提供することを課題とする。
【課題を解決するための手段】
【００１３】
この発明のパター型のゴルフクラブヘッドは、上記の課題を解決するために、規定のライ角およびロフト角を保持して水平面に置いた基準状態で、ソールの最下部からフェースの最も下の刃部分であるリーディングエッジまでの垂直方向の距離Ａが６ｍｍ≦Ａ≦１０ｍｍであり、上記フェースの最も下からヘッド本体部の最も上までの垂直方向の距離Ｂが１４ｍｍ≦Ｂ≦１８ｍｍで且つ１３ｍｍ≦Ａ＋Ｂ／２≦１９ｍｍであり、上記ソールをボール底から６ｍｍ浮かせるとフェースの高さ方向中央位置がボール赤道に対して略上３．６ｍｍから下２．４ｍｍ の範囲のボール赤道付近となり、また、上記ソールがボール底から１．４ ｍｍしか浮かなかったとしても上記フェースに上記ボール赤道が当たることを特徴とする。なお、半径が２１．４ｍｍのゴルフボールを用いて上記ソールをボール底から６ｍｍ浮かせると、フェースの高さ方向中央位置は、ボール赤道に対して上３．６ｍｍから下２．４ｍｍ の範囲となる。そして、半径が２１．４ｍｍ以外のゴルフボールを用いて上記ソールをボール底から６ｍｍ浮かせると、フェースの高さ方向中央位置は、ボール赤道に対して略上３．６ｍｍから下２．４ｍｍ の範囲となる。
【００１４】
上記の構成であれば、ソールの最下部からフェースの最も下の刃部分であるリーディングエッジまでの垂直方向の距離Ａが６ｍｍ≦Ａ≦１０ｍｍであることでリーディングエッジが地面に当たるダフリを抑制できると同時に、上記フェースの最も下からヘッド本体部の最も上までの垂直方向の距離Ｂが１４ｍｍ≦Ｂ≦１８ｍｍであることで、ソールを地面から浮かせる構えになりやすく、ソールが地面に当たるダフリを抑制できる。より具体的には、プレーヤーは、本願の請求項に係るパター型のゴルフクラブヘッドを有したパターを手に持ったときに、上記距離Ｂが１４ｍｍ≦Ｂ≦１８ｍｍであることにより、視覚的にフェース高さが低い（薄い）と感じるので、フェースの高さ方向中央位置をボール赤道の付近に合せようとしてソールをボール底から浮かせる。すなわち、フェースの高さ方向中央位置をボール赤道の付近に合せようとしてソールをボール底から浮かせて構えるようになり、ソールが地面に当たるダフリの頻度は少なくなる。ここで、上記ソールをボール底から６ｍｍ浮かせるとフェースの高さ方向中央位置がボール赤道から上３．６ｍｍ以内で上記ボール赤道から下２．４ｍｍ以内のボール赤道付近の位置となる。さらに、実際のゴルフプレーにおいては、上記ソールを上記６ｍｍよりも低く浮かせることがときに生じるが、上記ソールをボール底から１．４ｍｍしか浮かせなかったとしても上記フェースに上記ボール赤道が当たるので、このような場合でも一定程度のボールの転がりを期待することができる。もちろん、上記ソールがボール底から２ｍｍ程度や３ｍｍ程度浮いていれば、ソールが地面に当たるダフリを上記１．４ｍｍの場合よりも抑制できる。
【発明の効果】
【００１５】
本発明であれば、リーディングエッジが地面に当たるダフリを抑制できると同時にソールが地面に当たるダフリを抑制できるという効果を奏する。
【図面の簡単な説明】
【００１６】
【図１】本発明の他の実施形態に係るパター型のゴルフクラブヘッドを示した図であり、同図（Ａ）は正面視の説明図、同図（Ｂ）は平面視の説明図である。
【図２】図１に示したパター型のゴルフクラブヘッドと芝とボール等の関係を示した説明図であり、同図（Ａ）はゴルフクラブヘッドのソールがボール底から６ｍｍ浮かせた場合を示しており、同図（Ｂ）はゴルフクラブヘッドのソールがボール底から３ｍｍ浮かせた場合を示している。
【発明を実施するための形態】
【００１７】
次に、この発明の実施形態に係るパター型のゴルフクラブヘッドを添付図面に基づいて具体的に説明する。なお、本発明に係るパター型のゴルフクラブヘッドは、下記の実施形態に示したものに限定されず、その要旨を変更しない範囲において適宜変更して実施できるものである。
【００１８】
図１（Ａ）および図１（Ｂ）に示すように、この実施形態のパター型のゴルフクラブヘッド１は、ホーゼル部１０およびヘッド本体部１１を備えている。上記ヘッド本体部１１は、フェース１２およびソール１３を有しており、金属などの重量物で形成されている。
【００１９】
上記パター型のゴルフクラブヘッド１は、図２（Ａ）および図２（Ｂ）に示すように、規定のライ角およびロフト角を保持して水平面に置いた基準状態で、上記ソール１３のソール最下部から上記フェース１２のフェースの最も下の刃部分であるリーディングエッジまでの垂直方向の距離Ａが６ｍｍ≦Ａ≦１０ｍｍ（望ましくは６ｍｍ≦Ａ≦８ｍｍ）であり、上記フェース１２の最も下からヘッド本体部１１の最も上までの垂直方向の距離Ｂが１４ｍｍ≦Ｂ≦１８ｍｍ（望ましくは１５ｍｍ≦Ｂ≦１７ｍｍ）とされている。また、Ａ＋Ｂ／２は、１３ｍｍ≦Ａ＋Ｂ／２≦１９ｍｍとなる。この実施形態では、例えば、Ａ＝７ｍｍ，Ｂ＝１６ｍｍに設定している。なお、比率Ｂ／Ａは、１．４≦Ｂ／Ａ≦３．０の範囲となる。従来のパター型のゴルフクラブヘッドの一例はＡ＝１ｍｍでＢ＝２５ｍｍ程度であり、比率Ｂ／Ａは２５．０となる。上記フェース１２の最も下からヘッド本体部１１の最も上までの垂直方向の距離Ｂは、上記フェース１２の最も下からフェース１２の最も上までの垂直方向の距離に等しくしてもよい 。
【００２０】
上記パター型のゴルフクラブヘッド１では、図２（Ａ）に示したように、ソール１３をボール３の底から６ｍｍ（芝２から４ｍｍ）程度浮かせると、フェース１２の高さ方向中央位置は、ボール３の底から６ｍｍ＋７ｍｍ（距離Ａ）＋８ｍｍ（距離Ｂ／２）＝２１ｍｍとなる。この２１ｍｍは半径が例えば２１．４ｍｍのゴルフボールのボール赤道より僅かに下の位置となる。
【００２１】
ここで、上記距離Ａが最も小さな値である６ｍｍとされ、上記距離Ｂが最も小さな値である１４ｍｍとされている場合において、ソール１３をボール底から６ｍｍ浮かせると、フェース１２の高さ方向中央位置は上記ボール赤道から下２．４ｍｍの位置となる。また、上記距離Ａが最も大きな値である１０ｍｍとされ、上記距離Ｂが最も大きな値である１８ｍｍの場合において、ソール１３をボール底から６ｍｍ浮かせると、フェース１２の高さ方向中央位置は上記ボール赤道から上３．６ｍｍの位置となる。したがって、上記距離Ａ、Ｂについて上記数値範囲を有するパター型のゴルフクラブヘッド１は、上記ソール１３をボール底から６ｍｍ浮かせた状態では、フェース１２の高さ方向中央位置は、ボール赤道から上３．６ｍｍ以内で上記ボール赤道から下２．４ｍｍ以内のボール赤道付近となる。
【００２２】
また、上記距離Ａが最も小さな値である６ｍｍとされ、上記距離Ｂが最も小さな値である１４ｍｍとされている場合において、図２（Ｂ）に示したように、ソール１３をボール底から３ｍｍ浮かせると、フェース１２の高さ方向中央位置は上記ボール赤道から下５．４ｍｍの位置となる。また、上記距離Ａが最も大きな値である１０ｍｍとされ、上記距離Ｂが最も大きな値である１８ｍｍの場合において、ソール１３をボール底から３ｍｍ浮かせると、フェース１２の高さ方向中央位置は上記ボール赤道から上１．６ｍｍの位置となる。
【００２３】
また、上記距離Ａが最も小さな値である６ｍｍとされ、上記距離Ｂが最も小さな値である１４ｍｍとされている場合においてソール１３をボール底から２ｍｍ浮かせると、フェース１２の高さ方向中央位置は上記ボール赤道から下６．４ｍｍの位置となる。この場合でも、上記距離Ｂが１４ｍｍであり、フェース１２の高さ方向中央位置よりも上に７ｍｍ幅でフェース１２が存在できるので、フェース１２の高さ方向中央位置が、ボール赤道から６．４ｍｍ下の位置となっても、ボール赤道をフェース１２で打つことができる。また、上記距離Ａが最も大きな値である１０ｍｍとされ、上記距離Ｂが最も大きな値である１８ｍｍの場合において、ソール１３をボール底から２ｍｍ浮かせると、フェース１２の高さ方向中央位置は上記ボール赤道から上０．６ｍｍの位置となる。
【００２４】
また、上記距離Ａが最も小さな値である６ｍｍとされ、上記距離Ｂが最も小さな値である１４ｍｍとされている場合においてソール１３をボール底から１．４ｍｍ浮かせると、フェース１２の高さ方向中央位置は上記ボール赤道から下７．０ｍｍの位置となる。この場合でも、上記距離Ｂが１４ｍｍであり、フェース１２の高さ方向中央位置よりも上に７ｍｍ幅でフェース１２が存在できるので、フェース１２の高さ方向中央位置が、ボール赤道から７．０ｍｍ下の位置となっても、ボール赤道をフェース１２で打つことができる。また、上記距離Ａが最も大きな値である１０ｍｍとされ、上記距離Ｂが最も大きな値である１８ｍｍの場合において、ソール１３をボール底から１．４ｍｍ浮かせると、フェース１２の高さ方向中央位置は上記ボール赤道から上０ｍｍの位置となる。
【００２５】
なお、上記距離Ａ、Ｂが上記望ましいとされる値についても、同様の計算により、ソール１３をボール底から浮かせたときの、上記ボール赤道に対するフェース１２の高さ方向中央位置等を知ることができる。
【００２６】
上記の構成であれば、ソール１３の最下部からフェース１２の最も下の刃部分であるリーディングエッジまでの垂直方向の距離Ａが６ｍｍ≦Ａ≦１０ｍｍであることでリーディングエッジが地面に当たるダフリを抑制できると同時に、上記フェース１２の最も下からヘッド本体部の最も上までの垂直方向の距離Ｂが１４ｍｍ≦Ｂ≦１８ｍｍであることで、ソール１３を地面から浮かせる構えになりやすく、ソール１３が地面に当たるダフリを抑制できる。より具体的には、プレーヤーは、本願の請求項に係るパター型のゴルフクラブヘッドを有したパターを手に持ったときに、上記距離Ｂが１４ｍｍ≦Ｂ≦１８ｍｍであることにより、視覚的にフェース高さが低い（薄い）と感じるので、フェース１２の高さ方向中央位置をボール赤道の付近に合せようとしてソール１３をボール底から浮かせる。すなわち、フェース１２の高さ方向中央位置をボール赤道の付近に合せようとしてソール１３をボール底から浮かせて構えるようになるので、ソール１３が地面に当たるダフリの頻度は少なくなる。ここで、先にも述べたが、上記ソール１３をボール底から６ｍｍ浮かせると、フェース１２の高さ方向中央位置がボール赤道から上３．６ｍｍ以内で上記ボール赤道から下２．４ｍｍ以内のボール赤道付近の位置となる。一方、実際のゴルフプレーにおいては、上記ソールを上記６ｍｍよりも低く浮かせることがときに生じるが、上記ソール１３をボール底から１．４ｍｍしか浮かせなかったとしても上記フェース１２に上記ボール赤道が当たるので、このような場合でもボールの一定程度の 転がりを期待することができる。また、上記ソール１３がボール底から２ｍｍ程度でも浮いていれば、ソール１３が地面に当たるダフリを抑制できる。もちろん、上記ソールがボール底から２ｍｍ程度や３ｍｍ程度浮いていれば、ソールが地面に当たるダフリを上記１．４ｍｍの場合よりも抑制できる。
【００２７】
また、この実施形態では、上記パター型のゴルフクラブヘッド１において、フェースプログレッション（シャフト軸面とリーディングエッジの距離）Ｃは３５ｍｍ≦Ｃ≦５０ｍｍ（望ましくは３８ｍｍ≦Ｃ≦４７ｍｍ）に設定されている。また、ヘッドのヒールからトウまでの幅Ｄは１０８ｍｍ≦Ｄ≦１７７．８ｍｍ（望ましくは１２０ｍｍ≦Ｄ≦１６２ｍｍ）に設定されている。もちろん、ヘッドにおいてゴルフ規則上の制約がある場合には、その制約の範囲以内とする。
【００２８】
また、この実施形態の上記パター型のゴルフクラブヘッド１において、ソール最下部をシャフト軸面よりも後方に位置させると、ヘッドが地面に弾かれてトップとなることが一層起きにくくなる。例えば、ソール最下部が地面に当たる前にフェースがボールに当たることになる。
【００２９】
また、上記パター型のゴルフクラブ１を用いて、グリーン回りからグリーンに向けてボールを打つ場合にも、ダフリを少なくすることができる。さらに、グリーン回りのラフからグリーンに向けてボールを打つ場合、上記フェースの最も下からヘッド本体部の最も上までの垂直方向の距離Ｂが小さいと、フェース面の高さが大きく影響する芝２の抵抗を軽減できるため、インパクトのヘッドスピードを調節しやすい。
【００３０】
また、ゴルフクラブヘッドの重心が上記ホーゼル部１０に装着されるシャフトの軸面に接近する構成であると、スイング中のヘッド挙動が安定する。
【００３１】
ここで、ラフにおいてスイングを行った場合、上記フェースの最も下からヘッド本体部の最も上までの垂直方向の距離Ｂが小さいと、フェースが受ける芝２の抵抗は小さくなる一方でゴルフクラブのネックに芝が絡むことによる抵抗は特に変わらないことから、例えば打球が左方向に出るミスショットが発生しやすくなる。フェースプログレッションＣが３５ｍｍ≦Ｃ≦５０ｍｍであると、ゴルフクラブのネックで芝２の抵抗を受ける前にフェースにボールを当てることができるので、上記のようなミスショットを低減できる。
【符号の説明】
【００３２】
１      パター型のゴルフクラブヘッド
１０    ホーゼル部
１１    ヘッド本体部
１２    フェース
１３    ソール
【図１】
2014168644.tif 000003
【図２】
2014168644.tif 000004
【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
規定のライ角およびロフト角を保持して水平面に置いた基準状態で、ソールの最下部からフェースの最も下の刃部分であるリーディングエッジまでの垂直方向の距離Ａが６ｍｍ≦Ａ≦１０ｍｍであり、上記フェースの最も下からヘッド本体部の最も上までの垂直方向の距離Ｂが１４ｍｍ≦Ｂ≦１８ｍｍで且つ１３ｍｍ≦Ａ＋Ｂ／２≦１９ｍｍであり、上記ソールをボール底から６ｍｍ浮かせるとフェースの高さ方向中央位置がボール赤道に対して略上３．６ｍｍから下２．４ｍｍの範囲のボール赤道付近となり、また、上記距離Ａが最も小さな値である６ｍｍで上記距離Ｂが最も小さな値である１４ｍｍとされた場合においてソールをボール底から１．４ｍｍしか浮かせなかったとしても、フェースの高さ方向中央位置が上記ボール赤道に対して略下７．０ｍｍの位置となることを特徴とするパター型のゴルフクラブヘッド。
【手続補正２】
【補正対象書類名】明細書
【補正対象項目名】全文
【補正方法】変更
【補正の内容】
【発明の詳細な説明】
【技術分野】
【０００１】
この発明は、パター型のゴルフクラブヘッドに関する。
【背景技術】
【０００２】
ゴルフプレーにおいては、パターでゴルフボールを打つときにダフリを抑制できることが望まれる。
【０００３】
ここで、特許文献１には、フェース部の高さが２２ｍｍであることが開示されている。
【０００４】
また、特許文献２には、パターにおいて、フェースとソールとの交点部分をアールに形成すると共にアールが付されている部分の高さを８ｍｍ程度にしている点が記載されている。
【０００５】
また、特許文献３の段落００１０には、「ゴルフボールの直径は、規格で１．６８インチ（４２．６７ｍｍ）以上と定められており、現在市販されているボールの殆どが約４３ｍｍ程度であるのでフェイスの大きさは、上記式にＢ＝４３ｍｍを当て嵌めるとフェイスの直径Ｆは、３．５〜５．２ｍｍの範囲の大きさである。もちろん、フェイスの大きさは、規格が変わってボールの直径が変化すれば、それに応じてフェイスの直径の大きさも変化する。更に、前方部は、・・・フェイスの下端が０．８〜１．２ｃｍの範囲でカットされたソール（５）を有する。・・」の記載が存在している。なお、上記「フェイスの直径Ｆは、３．５〜５．２ｍｍの範囲の大きさである。」は誤記であり、正しくは「フェイスの直径Ｆは、３．５〜５．２ｃｍの範囲の大きさである。」と思われる。
【先行技術文献】
【特許文献】
【０００６】
【特許文献１】特開２００３−２７５３４８号公報
【特許文献２】実願昭５６−１３２７３０号（実開昭５８−４０１７２号）
【特許文献３】登録実用新案第３１４７６０４号公報
【発明の概要】
【発明が解決しようとする課題】
【０００７】
しかしながら、特許文献２には「ヒッティングエリアＥの下半分は最高１２．０５ｍｍ又は１３．１５ｍｍが確保されることになり、・・・」の記載が存在している。この内容によれば、特許文献２のパターでは、フェースの最も下からヘッド本体部の最も上までの垂直方向の距離として、２４．１０ｍｍ又は２６．３０ｍｍが確保されることになる。
【０００８】
上記特許文献１には、フェース部の高さが２２ｍｍであることが開示されているが、この記載をもって、上記特許文献２のパターが上記「８ｍｍ」を保持しつつ、フェース部の高さが２２ｍｍとなる形態でもよいということにはならない。なぜなら、上記特許文献２には「ヒッティングエリアＥの下半分は最高１２．０５ｍｍ又は１３．１５ｍｍが確保されることになり、ヒッティングに際して妨げになる可能性は全くない。」と記載しており、フェースの最も下からヘッド本体部の最も上までの垂直方向の距離として、２４．１０ｍｍ又は２６．３０ｍｍが確保されることが重要であることを示唆している。「確保」とは、確実に手に入れること、失わないようにしっかりと保つことの意味であり、上記示唆は、上記特許文献２のパターが上記の「少なくとも８ｍｍ」を保持しつつ、フェース部の高さが２２ｍｍとなる形態を想到することに対して大きな妨げとなる。
【０００９】
また、特許文献２のパターは、フェースとソールとの交点部分をアールに形成すると共にアールが付されている部分の高さを８ｍｍ程度にしている。その一方、特許文献３に記載のパターは、ソールの最下部からフェースの最も下の刃部分であるリーディングエッジまでの垂直方向の距離が０ｍｍであると考えられ、両思想は互いに相いれない。したがって、特許文献２のパターに特許文献３の内容を適用しようにも、適用のしようがない。また、仮に、適用できたとしても、「フェースの最も下からヘッド本体部の最も上までの垂直方向の距離が３．５〜５．２ｃｍから０．８〜１．２ｃｍを減算した値のもの」となる。
【００１０】
特許文献２のパターでは、リーディングエッジが地面に当たるダフリを抑制できると思われるが、フェースの高さが２４．１ｍｍまたは２６．３ｍｍ以上あるため、フェースの高さ方向中央位置でボールの赤道を打とうとすると、ソールが地面に当たってダフリを生じる可能性が高くなるものと考えられる。すなわち、特許文献２のパターは、リーディングエッジによるダフリとソールによるダフリの両方を解決できたものでない。
【００１１】
また、特許文献３に記載のパターは、ソールの最下部からフェースの最も下の刃部分であるリーディングエッジまでの垂直方向の距離が０ｍｍであると考えられるので、リーディングエッジが地面に当たるダフリの生じる可能性が高くなる。一方、特許文献３では、パターを振り抜いた際に後部が接地することによるダフリ抑制は図られている。この特許文献３のパターも、リーディングエッジによるダフリとソールによるダフリの両方を解決できたものではない。なお、特許文献３の見方として、ソールを０．８〜１．２ｃｍ浮かせてボールを打てば、ソールの最下部からフェースの最も下の刃部分であるリーディングエッジまでの垂直方向の距離が０ｍｍであってもリーディングエッジが地面に当たるダフリは生じないものであると見ることが可能であるが、これでは特許文献２でフェースとソールとの交点部分をアールに形成すると共にアールが付されている部分の高さを８ｍｍ程度にすることと全く相いれないものとなり、両者を組み合わせることに対する大きな障害になるものと考えられる。
【００１２】
この発明は、リーディングエッジが地面に当たるダフリを抑制できると同時にソールが地面に当たるダフリを抑制できるパター型のゴルフクラブヘッドを提供することを課題とする。
【課題を解決するための手段】
【００１３】
この発明のパター型のゴルフクラブヘッドは、上記の課題を解決するために、規定のライ角およびロフト角を保持して水平面に置いた基準状態で、ソールの最下部からフェースの最も下の刃部分であるリーディングエッジまでの垂直方向の距離Ａが６ｍｍ≦Ａ≦１０ｍｍであり、上記フェースの最も下からヘッド本体部の最も上までの垂直方向の距離Ｂが１４ｍｍ≦Ｂ≦１８ｍｍで且つ１３ｍｍ≦Ａ＋Ｂ／２≦１９ｍｍであり、上記ソールをボール底から６ｍｍ浮かせるとフェースの高さ方向中央位置がボール赤道に対して略上３．６ｍｍから下２．４ｍｍの範囲のボール赤道付近となり、また、上記距離Ａが最も小さな値である６ｍｍで上記距離Ｂが最も小さな値である１４ｍｍとされた場合においてソールをボール底から１．４ｍｍしか浮かせなかったとしても、フェースの高さ方向中央位置が上記ボール赤道に対して略下７．０ｍｍの位置となることを特徴とする。なお、半径が２１．４ｍｍのゴルフボールを用いて上記ソールをボール底から６ｍｍ浮かせると、フェースの高さ方向中央位置は、ボール赤道に対して上３．６ｍｍから下２．４ｍｍ の範囲となる。そして、半径が２１．４ｍｍ以外のゴルフボールを用いて上記ソールをボール底から６ｍｍ浮かせると、フェースの高さ方向中央位置は、ボール赤道に対して略上３．６ｍｍから下２．４ｍｍ の範囲となる。
【００１４】
上記の構成であれば、ソールの最下部からフェースの最も下の刃部分であるリーディングエッジまでの垂直方向の距離Ａが６ｍｍ≦Ａ≦１０ｍｍであることでリーディングエッジが地面に当たるダフリを抑制できると同時に、上記フェースの最も下からヘッド本体部の最も上までの垂直方向の距離Ｂが１４ｍｍ≦Ｂ≦１８ｍｍであることで、ソールを地面から浮かせる構えになりやすく、ソールが地面に当たるダフリを抑制できる。より具体的には、プレーヤーは、本願の請求項に係るパター型のゴルフクラブヘッドを有したパターを手に持ったときに、上記距離Ｂが１４ｍｍ≦Ｂ≦１８ｍｍであることにより、視覚的にフェース高さが低い（薄い）と感じるので、フェースの高さ方向中央位置をボール赤道の付近に合せようとしてソールをボール底から浮かせる。すなわち、フェースの高さ方向中央位置をボール赤道の付近に合せようとしてソールをボール底から浮かせて構えるようになり、ソールが地面に当たるダフリの頻度は少なくなる。ここで、上記ソールをボール底から６ｍｍ浮かせるとフェースの高さ方向中央位置がボール赤道から上３．６ｍｍ以内で上記ボール赤道から下２．４ｍｍ以内のボール赤道付近の位置となる。さらに、実際のゴルフプレーにおいては、上記ソールを上記６ｍｍよりも低く浮かせることがときに生じるが、上記距離Ａが最も小さな値である６ｍｍで上記距離Ｂが最も小さな値である１４ｍｍとされた場合においてソールをボール底から１．４ｍｍしか浮かせなかったとしても、フェースの高さ方向中央位置が上記ボール赤道に対して略下７．０ｍｍの位置となり、上記距離Ｂが１４ｍｍであるから、フェースの高さ方向中央位置よりも上に略７ｍｍ幅でフェースが存在でき、上記フェースに上記ボール赤道下が当たるので、このような場合でも一定程度のボールの転がりを期待することができる。もちろん、上記ソールがボール底から２ｍｍ程度や３ｍｍ程度浮いていれば、ソールが地面に当たるダフリを上記１．４ｍｍの場合よりも抑制できる。
【発明の効果】
【００１５】
本発明であれば、リーディングエッジが地面に当たるダフリを抑制できると同時にソールが地面に当たるダフリを抑制できるという効果を奏する。
【図面の簡単な説明】
【００１６】
【図１】本発明の他の実施形態に係るパター型のゴルフクラブヘッドを示した図であり、同図（Ａ）は正面視の説明図、同図（Ｂ）は平面視の説明図である。
【図２】図１に示したパター型のゴルフクラブヘッドと芝とボール等の関係を示した説明図であり、同図（Ａ）はゴルフクラブヘッドのソールがボール底から６ｍｍ浮かせた場合を示しており、同図（Ｂ）はゴルフクラブヘッドのソールがボール底から３ｍｍ浮かせた場合を示している。
【発明を実施するための形態】
【００１７】
次に、この発明の実施形態に係るパター型のゴルフクラブヘッドを添付図面に基づいて具体的に説明する。なお、本発明に係るパター型のゴルフクラブヘッドは、下記の実施形態に示したものに限定されず、その要旨を変更しない範囲において適宜変更して実施できるものである。
【００１８】
図１（Ａ）および図１（Ｂ）に示すように、この実施形態のパター型のゴルフクラブヘッド１は、ホーゼル部１０およびヘッド本体部１１を備えている。上記ヘッド本体部１１は、フェース１２およびソール１３を有しており、金属などの重量物で形成されている。
【００１９】
上記パター型のゴルフクラブヘッド１は、図２（Ａ）および図２（Ｂ）に示すように、規定のライ角およびロフト角を保持して水平面に置いた基準状態で、上記ソール１３のソール最下部から上記フェース１２のフェースの最も下の刃部分であるリーディングエッジまでの垂直方向の距離Ａが６ｍｍ≦Ａ≦１０ｍｍ（望ましくは６ｍｍ≦Ａ≦８ｍｍ）であり、上記フェース１２の最も下からヘッド本体部１１の最も上までの垂直方向の距離Ｂが１４ｍｍ≦Ｂ≦１８ｍｍ（望ましくは１５ｍｍ≦Ｂ≦１７ｍｍ）とされている。また、Ａ＋Ｂ／２は、１３ｍｍ≦Ａ＋Ｂ／２≦１９ｍｍとなる。この実施形態では、例えば、Ａ＝７ｍｍ，Ｂ＝１６ｍｍに設定している。なお、比率Ｂ／Ａは、１．４≦Ｂ／Ａ≦３．０の範囲となる。従来のパター型のゴルフクラブヘッドの一例はＡ＝１ｍｍでＢ＝２５ｍｍ程度であり、比率Ｂ／Ａは２５．０となる。上記フェース１２の最も下からヘッド本体部１１の最も上までの垂直方向の距離Ｂは、上記フェース１２の最も下からフェース１２の最も上までの垂直方向の距離に等しくしてもよい 。
【００２０】
上記パター型のゴルフクラブヘッド１では、図２（Ａ）に示したように、ソール１３をボール３の底から６ｍｍ（芝２から４ｍｍ）程度浮かせると、フェース１２の高さ方向中央位置は、ボール３の底から６ｍｍ＋７ｍｍ（距離Ａ）＋８ｍｍ（距離Ｂ／２）＝２１ｍｍとなる。この２１ｍｍは半径が例えば２１．４ｍｍのゴルフボールのボール赤道より僅かに下の位置となる。
【００２１】
ここで、上記距離Ａが最も小さな値である６ｍｍとされ、上記距離Ｂが最も小さな値である１４ｍｍとされている場合において、ソール１３をボール底から６ｍｍ浮かせると、フェース１２の高さ方向中央位置は上記ボール赤道から下２．４ｍｍの位置となる。また、上記距離Ａが最も大きな値である１０ｍｍとされ、上記距離Ｂが最も大きな値である１８ｍｍの場合において、ソール１３をボール底から６ｍｍ浮かせると、フェース１２の高さ方向中央位置は上記ボール赤道から上３．６ｍｍの位置となる。したがって、上記距離Ａ、Ｂについて上記数値範囲を有するパター型のゴルフクラブヘッド１は、上記ソール１３をボール底から６ｍｍ浮かせた状態では、フェース１２の高さ方向中央位置は、ボール赤道から上３．６ｍｍ以内で上記ボール赤道から下２．４ｍｍ以内のボール赤道付近となる。
【００２２】
また、上記距離Ａが最も小さな値である６ｍｍとされ、上記距離Ｂが最も小さな値である１４ｍｍとされている場合において、図２（Ｂ）に示したように、ソール１３をボール底から３ｍｍ浮かせると、フェース１２の高さ方向中央位置は上記ボール赤道から下５．４ｍｍの位置となる。また、上記距離Ａが最も大きな値である１０ｍｍとされ、上記距離Ｂが最も大きな値である１８ｍｍの場合において、ソール１３をボール底から３ｍｍ浮かせると、フェース１２の高さ方向中央位置は上記ボール赤道から上１．６ｍｍの位置となる。
【００２３】
また、上記距離Ａが最も小さな値である６ｍｍとされ、上記距離Ｂが最も小さな値である１４ｍｍとされている場合においてソール１３をボール底から２ｍｍ浮かせると、フェース１２の高さ方向中央位置は上記ボール赤道から下６．４ｍｍの位置となる。この場合でも、上記距離Ｂが１４ｍｍであり、フェース１２の高さ方向中央位置よりも上に７ｍｍ幅でフェース１２が存在できるので、フェース１２の高さ方向中央位置が、ボール赤道から６．４ｍｍ下の位置となっても、ボール赤道下をフェース１２で打つことができる。また、上記距離Ａが最も大きな値である１０ｍｍとされ、上記距離Ｂが最も大きな値である１８ｍｍの場合において、ソール１３をボール底から２ｍｍ浮かせると、フェース１２の高さ方向中央位置は上記ボール赤道から上０．６ｍｍの位置となる。
【００２４】
また、上記距離Ａが最も小さな値である６ｍｍとされ、上記距離Ｂが最も小さな値である１４ｍｍとされている場合においてソール１３をボール底から１．４ｍｍ浮かせると、フェース１２の高さ方向中央位置は上記ボール赤道から下７．０ｍｍの位置となる。この場合でも、上記距離Ｂが１４ｍｍであり、フェース１２の高さ方向中央位置よりも上に７ｍｍ幅でフェース１２が存在できるので、フェース１２の高さ方向中央位置が、ボール赤道から７．０ｍｍ下の位置となっても、ボール赤道下をフェース１２で打つことができる。また、上記距離Ａが最も大きな値である１０ｍｍとされ、上記距離Ｂが最も大きな値である１８ｍｍの場合において、ソール１３をボール底から１．４ｍｍ浮かせると、フェース１２の高さ方向中央位置は上記ボール赤道から上０ｍｍの位置となる。
【００２５】
なお、上記距離Ａ、Ｂが上記望ましいとされる値についても、同様の計算により、ソール１３をボール底から浮かせたときの、上記ボール赤道に対するフェース１２の高さ方向中央位置等を知ることができる。
【００２６】
上記の構成であれば、ソール１３の最下部からフェース１２の最も下の刃部分であるリーディングエッジまでの垂直方向の距離Ａが６ｍｍ≦Ａ≦１０ｍｍであることでリーディングエッジが地面に当たるダフリを抑制できると同時に、上記フェース１２の最も下からヘッド本体部の最も上までの垂直方向の距離Ｂが１４ｍｍ≦Ｂ≦１８ｍｍであることで、ソール１３を地面から浮かせる構えになりやすく、ソール１３が地面に当たるダフリを抑制できる。より具体的には、プレーヤーは、本願の請求項に係るパター型のゴルフクラブヘッドを有したパターを手に持ったときに、上記距離Ｂが１４ｍｍ≦Ｂ≦１８ｍｍであることにより、視覚的にフェース高さが低い（薄い）と感じるので、フェース１２の高さ方向中央位置をボール赤道の付近に合せようとしてソール１３をボール底から浮かせる。すなわち、フェース１２の高さ方向中央位置をボール赤道の付近に合せようとしてソール１３をボール底から浮かせて構えるようになるので、ソール１３が地面に当たるダフリの頻度は少なくなる。ここで、先にも述べたが、上記ソール１３をボール底から６ｍｍ浮かせると、フェース１２の高さ方向中央位置がボール赤道から上３．６ｍｍ以内で上記ボール赤道から下２．４ｍｍ以内のボール赤道付近の位置となる。一方、実際のゴルフプレーにおいては、上記ソールを上記６ｍｍよりも低く浮かせることがときに生じるが、上記距離Ａが最も小さな値である６ｍｍで上記距離Ｂが最も小さな値である１４ｍｍとされた場合においてソール１３をボール底から１．４ｍｍしか浮かせなかったとしても、フェース１２の高さ方向中央位置が上記ボール赤道に対して略下７．０ｍｍの位置となり、上記距離Ｂが１４ｍｍであるから、フェース１２の高さ方向中央位置よりも上に略７ｍｍ幅でフェース１２が存在でき、上記フェース１２に上記ボール赤道下が当たるので、このような場合でもボールの一定程度の転がりを期待することができる。また、上記ソール１３がボール底から２ｍｍ程度でも浮いていれば、ソール１３が地面に当たるダフリを抑制できる。もちろん、上記ソールがボール底から２ｍｍ程度や３ｍｍ程度浮いていれば、ソールが地面に当たるダフリを上記１．４ｍｍの場合よりも抑制できる。
【００２７】
また、この実施形態では、上記パター型のゴルフクラブヘッド１において、フェースプログレッション（シャフト軸面とリーディングエッジの距離）Ｃは３５ｍｍ≦Ｃ≦５０ｍｍ（望ましくは３８ｍｍ≦Ｃ≦４７ｍｍ）に設定されている。また、ヘッドのヒールからトウまでの幅Ｄは１０８ｍｍ≦Ｄ≦１７７．８ｍｍ（望ましくは１２０ｍｍ≦Ｄ≦１６２ｍｍ）に設定されている。もちろん、ヘッドにおいてゴルフ規則上の制約がある場合には、その制約の範囲以内とする。
【００２８】
また、この実施形態の上記パター型のゴルフクラブヘッド１において、ソール最下部をシャフト軸面よりも後方に位置させると、ヘッドが地面に弾かれてトップとなることが一層起きにくくなる。例えば、ソール最下部が地面に当たる前にフェースがボールに当たることになる。
【００２９】
また、上記パター型のゴルフクラブ１を用いて、グリーン回りからグリーンに向けてボールを打つ場合にも、ダフリを少なくすることができる。さらに、グリーン回りのラフからグリーンに向けてボールを打つ場合、上記フェースの最も下からヘッド本体部の最も上までの垂直方向の距離Ｂが小さいと、フェース面の高さが大きく影響する芝２の抵抗を軽減できるため、インパクトのヘッドスピードを調節しやすい。
【００３０】
また、ゴルフクラブヘッドの重心が上記ホーゼル部１０に装着されるシャフトの軸面に接近する構成であると、スイング中のヘッド挙動が安定する。
【００３１】
ここで、ラフにおいてスイングを行った場合、上記フェースの最も下からヘッド本体部の最も上までの垂直方向の距離Ｂが小さいと、フェースが受ける芝２の抵抗は小さくなる一方でゴルフクラブのネックに芝が絡むことによる抵抗は特に変わらないことから、例えば打球が左方向に出るミスショットが発生しやすくなる。フェースプログレッションＣが３５ｍｍ≦Ｃ≦５０ｍｍであると、ゴルフクラブのネックで芝２の抵抗を受ける前にフェースにボールを当てることができるので、上記のようなミスショットを低減できる。
【符号の説明】
【００３２】
１      パター型のゴルフクラブヘッド
１０    ホーゼル部
１１    ヘッド本体部
１２    フェース
１３    ソール